(57)【要約】【課題】  健康、医療に有用な生体情報の測定に係り、特に個人に応じた測定準備設定を簡易な操作で行うのに好適な生体情報システムを提供する。【解決手段】  健康管理または医療行為に有用な１以上の生体情報を検出する測定手段（採尿器２、手首式血圧計３、尿排泄量を測る水圧センサ４）と、測定された生体情報を分析する演算手段６と、分析された生体情報を出力する出力手段１０を備えた生体情報測定システムにおいて、被験者を特定するための個人認識手段と、個人認証をトリガとして測定準備作業を行う少なくとも１つ以上の測定準備手段（測定位置制御手段１２、センサ初期化手段１３、測定位置制御手段１５）と、被験者が測定開始を指示する計測開始手段８を備える。【選択図】  図１
2005168720.tif 000002
【特許請求の範囲】
【請求項１】
健康管理または医療行為に有用な１以上の生体情報を検出する測定手段と、測定された生体情報を分析する演算手段と、分析された生体情報を出力する出力手段を備えた生体情報測定システムにおいて、被験者を特定するための個人認識手段と、個人認証をトリガとして測定準備作業を行う少なくとも１つ以上の測定準備手段と、被験者が測定開始を指示する計測開始手段を備えたことを特徴とする生体情報測定システム。
【請求項２】
前記生体情報を検出する測定手段が２以上であり、前記個人認識手段で認証された個人ごとに測定する生体情報を選別する測定項目選定手段を備えたことを特徴とする請求項１記載の生体情報測定システム。
【請求項３】
前記測定準備手段は、前記測定手段のゼロ点補正を行ったり、測定に利用する媒体の物理量を初期値に調整するセンサ初期化手段、および測定手段を測定位置に移動させる機能に加えて前記測定手段を認証した個人の性別や行動傾向に応じて前記測定手段を最適位置に移動する機能を有する測定位置制御手段のうち、少なくとも１つにより構成されることを特徴とする請求項１または請求項２記載の生体情報測定システム。
【請求項４】
被験者が前記測定手段で測定するための所定位置についたことを検知する人体検出手段と設け、前記計測開始手段は、前記人体検出手段の被験者を検知すると計測開始することを特徴とする請求項１〜請求項３のいずれかに記載の生体情報測定システム。
【請求項５】
前記測定準備手段で測定準備を行い、測定準備中、被験者が測定の所定位置につかないようにする測定準備提示手段を備えたことを特徴とする請求項１〜請求項４のいずれかに記載の生体情報測定システム。
【請求項６】
前記個人認識手段が、被験者に対応づけられたＩＤ番号を記憶したＩＤ番号記憶手段と無線送信手段から構成されるＩＤ発信手段と、ＩＤ発信手段から送信されたＩＤ番号情報を受信する無線受信手段と、ＩＤ番号と個人名とを結びつけるためのＩＤ−個人結合記憶手段と、無線受信手段で取得したＩＤをＩＤ−個人結合記憶手段に問い合わせ、個人を特定する名前解決手段により構成されることを特徴とする請求項１〜請求項５のいずれかに記載の生体情報測定システム。
【請求項７】
前記生体情報を検出する測定手段が２以上であり、各測定手段が、前記個人認識手段で認証された個人ごとに異なる測定準備作業を行なうことを特徴とする請求項１記載の生体情報測定システム。
【発明の詳細な説明】
【技術分野】
【０００１】
本発明は、健康、医療に有用な生体情報の測定に係り、特に個人に応じた測定準備設定を簡易な操作で行うのに好適な生体情報システムに関する発明である。 
【背景技術】
【０００２】
従来の生体情報計測処理システムは、生体情報の測定対象者のＩＤカードに記憶されたＩＤ番号を非接触で認識するＩＤ番号認識手段を有し、ＩＤ番号が認識された場合には、データ計測手段による生体情報の測定を開始させる計測起動手段を備えており、１つ以上の測定項目が個人に関わらず決まっている場合や特別な測定準備動作が不要な場合には、ＩＤ番号の入力操作や測定開始操作が極めて容易になるという効果があった（例えば、特許文献１参照。）。
このような場合、なおも、複数の測定項目からの選別や特別な測定準備動作が必要な場合には、操作の手間の多くは軽減されないという問題があった。
【特許文献１】特開平１０−１７９５２６号公報（第４−７頁、第２図）
【発明の開示】
【発明が解決しようとする課題】
【０００３】
本発明は、上記問題を解決するためになされたもので、本発明の課題は、健康、医療に有用な生体情報の測定に係り、特に個人に応じた測定準備設定を簡易な操作で行うのに好適な生体情報システムに関する発明である。
【課題を解決するための手段】
【０００４】
上記目的を達成するために請求項１記載の発明によれば、健康管理または医療行為に有用な１以上の生体情報を検出する測定手段と、測定された生体情報を分析する演算手段と、分析された生体情報を出力する出力手段を備えた生体情報測定システムにおいて、被験者を特定するための個人認識手段と、個人認証をトリガとして測定準備作業を行う少なくとも１つ以上の測定準備手段と、被験者が測定開始を指示する計測開始手段を備えたことを特徴とすることにより、個人認証を行う操作と測定準備操作を１回の操作で済ますことができ、特に年長者や体の不自由な方にはボタンなどの操作はできるかぎり省略することが望まれるので、１つの操作の簡略化であっても操作を迷ったり、操作ミスをしたりといった状況を防止することができる。
【０００５】
また、請求項２記載の発明によれば、生体情報を検出する測定手段が２以上であり、個人認識手段で認証された個人ごとに測定する生体情報を選別する測定項目選定手段を備えたことを特徴とすることにより、測定手段が複数あり、個人ごとに測定項目が異なる場合においても個人認証を行う操作のみで、無意識に測定項目を選別することができる。
【０００６】
また、請求項３記載の発明によれば、前記測定準備手段は、前記測定手段のゼロ点補正を行ったり、測定に利用する媒体の物理量を初期値に調整するセンサ初期化手段、および測定手段を測定位置に移動させる機能に加えて前記測定手段を認証した個人の性別や行動傾向に応じて前記測定手段を最適位置に移動する機能を有する測定位置制御手段のうち、少なくとも１つにより構成されることを特徴とすることにより、個人や選別された測定項目に応じて測定準備動作を最適に組み合わせることが出来る。
【０００７】
また、請求項４記載の発明によれば、被験者が前記測定手段で測定するための所定位置についたことを検知する人体検出手段と設け、前記計測開始手段は、前記人体検出手段の被験者を検知すると計測開始することを特徴とすることにより、測定準備状態から計測開始を指示する操作を省略することができる。
【０００８】
また、請求項５記載の発明によれば、測定準備手段で測定準備を行い、測定準備中、被験者が測定の所定位置につかないようにするための測定準備提示手段を備えたことを特徴とすることにより、測定準備動作が終了しない期間での計測開始を防止することが出来る。特に、被験者の排泄物に関する測定の場合、測定準備中に排泄されると計測できないといった状態が発生するために測定準備中は排泄させないような測定準備提示手段が必要になる。
【０００９】
また、請求項６記載の発明によれば、個人認識手段が、被験者に対応づけられたＩＤ番号を記憶したＩＤ番号記憶手段と無線送信手段から構成されるＩＤ発信手段と、ＩＤ発信手段から送信されたＩＤ番号情報を受信する無線受信手段と、ＩＤ番号と個人名とを結びつけるためのＩＤ−個人結合記憶手段と、無線受信手段で取得したＩＤをＩＤ−個人結合記憶手段に問い合わせ、個人を特定する名前解決手段により構成されることを特徴とすることから、個人認証はＩＤ発信手段をＩＤ受信手段に近づけるという動作のみで行うことが可能であり、操作が簡易になる。
【００１０】
また、請求項７記載の発明によれば、前記生体情報を検出する測定手段が２以上であり、各測定手段が、前記個人認識手段で認証された個人ごとに異なる測定準備作業を行なうことを特徴とすることにより、被験者の手を煩わさずとも被験者各々で異なる準備が簡易になしうることになる。
【発明の効果】
【００１１】
本発明によれば、健康、医療に有用な生体情報の測定に係り、特に個人に応じた測定準備設定を簡易な操作で行うのに好適な生体情報測定システムを提供することが可能であるという効果がある。
【発明を実施するための最良の形態】
【００１２】
図１は本発明に係る生体情報測定システムの構成図である。
本実施例における生体情報測定システムは、トイレにおいて尿糖値、血圧、および尿排泄量といった生体情報データを測定するシステムの１つの例である。尿糖値は測定手段２で、血圧は測定手段３で、尿排泄量は測定手段４でそれぞれ測定する。各測定手段で測定された生体情報データは、制御手段５に送られ、制御手段５内部の演算手段６によって具体的な物理量として分析される。制御手段５は一般的にはマイコンを組み込んだ制御基板であり、演算手段６は、マイコンのアーキテクチャとプログラムに含まれる。分析された生体情報データは、適宜出力手段１０によって、紙や電子データの形で出力される。出力手段としては、プリンタ、フラッシュメモリ書込装置、およびＬＡＮファイルサーバなどを使用することができる。
一方、被験者を特定するために、個人認識手段９があり、個人認識手段９により個人認証されると、制御手段５内部の測定項目選定手段７によりあらかじめ個人ごとに設定されている測定項目が選別され、センサ初期化手段１３や測定位置制御手段１２、１５において必要に応じて測定準備作業が実施される。
使用前において、便ふた１６は閉じた状態であり、測定準備作業中便ふた１６はゆっくり開く動作に移り、測定準備作業が終了した時点で、便ふた１６は開いた状態になる。測定準備作業中は、便座に座れないようにしている。つまり、便ふた１６は測定準備作業中であることを示す測定作業提示手段として働く。測定準備作業終了後、被験者が便座に着くと人体検出手段１７で検知され、計測開始手段８に通知される。着座した被験者が尿糖測定を必要とすれば測定手段２での計測が開始される。また、着座した被験者が尿排泄量測定を必要とすれば測定手段４での計測が開始される。一方、血圧測定は、着座検知では計測開始とはならず、測定手段３に被験者の手首をセットしたのを検知してから計測開始となる。
なお、計測開始については、操作手段１１でのボタン操作をトリガとしてもよい。
そして、測定が終了し、被験者が離座したところで、便ふた１６は閉じる。
【００１３】
次に、各生体情報の測定について説明する。
尿排泄量は、測定手段４により測定するが、この実施形態では、測定手段４は大便器本体１のボール２０に貯められた水位を検出する圧力センサを使用している。圧力センサは、ボール２０下部のジェットノズルに連通する導圧管１４の先端に設けられ、ボール２０内の溜水の水圧を測定可能としている。測定準備作業では、ジェット吐水口（センサ初期化手段１３）からの噴射水によりボール２０に貯水された水を強制的に排水管１７に排水し、水位を通常のボールの水位である封水水位よりも低い初期水位１８に調整する。このとき、測定手段４では、初期水位１８での圧力値を計測する。被験者が着座すると、測定手段４での計測が開始し、被験者が尿排泄した後の測定水位１９での圧力値を計測する。演算手段６では、測定水位１９での圧力値と初期水位１８での圧力値との差、およびあらかじめボール２０形状から設定された圧力値と尿排泄量との変換テーブルから尿排泄量を算出する。
【００１４】
図２は、本発明の実施に係る測定手段の１つである採尿器の構成図である。
採尿器３１は、アーム３０を介して測定位置制御手段１５に設置されており、認証された個人の性別によって男性であれば男性測定位置３２に、女性であれば女性測定位置３３に移動する。そこで採集された尿はポンプ２１により尿糖センサ２２に達し、生体情報として、尿糖値を測定する。なお、図２と同様な構成で尿糖センサ２２を適宜置き換えることにより、尿たんぱく、尿塩分などの成分についても測定することができる。
【００１５】
図３は、本発明の実施に係る測定手段の１つである手首式血圧計の構成図である
個人認証された後、測定準備作業により、測定位置制御手段１２は被験者が手首を固定しやすい位置に移動する。手首を固定しやすい位置（適正な血圧を測定できる位置）は被験者によって異なるので、被験者ごとに適切な測定位置を登録しておき、後述する個人認識手段によって特定された被験者に応じた測定位置に自動的に移動させるものである。被験者が手首固定具４０で、手首を巻き、マジックテープ［登録商標］４１で固定すると、電極スイッチである２つの手首固定検出手段４２が接触し、計測開始となる。
【００１６】
図４は、本発明の実施に係る個人認識手段の構成図である
被験者は、ＩＤ発信手段５０を身につけていたり、携帯していたりする。ＩＤ発信手段５０は、ＩＤ番号記憶手段５２に記憶された被験者ごとに特有のＩＤ番号を無線送信手段５１により発信する。ＩＤ発信手段５０により発信されたＩＤは機器の無線受信手段５３により受信される。なお、無線送信手段５１および無線受信手段５３は双方向通信可能でもよい。無線受信手段５３で受信されたＩＤ番号は、ＩＤ番号と個人名とを対応づけるデータベースであるＩＤ−個人結合記憶手段５５に問い合わせ、名前解決手段５４により、個人名として認証される。認証された個人によって、測定項目選別手段７に働きかけ、個人に特有な測定項目を選別したり、測定値と個人とを結びつける出力データ構成手段５６に働きかけ、出力手段に個人名と測定値を結びつけた測定結果を出力させることができる。
【００１７】
図５は、本発明の実施に係る生体情報測定システムの動作フローチャート図である
被験者が、ＩＤ発信手段５０をＩＤ受信手段５３に近づけることにより個人認証が行われる。ＩＤ発信手段５０をＩＤカード、ＩＤ受信手段５３をカードリーダにするという形態の他に、ＩＤ発信手段５０を手首や足首にリストバンドで身につけたり、衣服や履き物に取り付けたり、ネックレスの形で首に下げたりして、ＩＤ発信手段５０の取付位置から受信しやすい場所にＩＤ受信手段５３を設置する形態もとれる。
個人が認証されると、個人に応じて測定項目が選別され、１番目の測定項目の測定準備が行われる。測定準備作業中はなんらかの測定準備中の表示がなされ、測定準備が終了すると、人体検知などによる計測開始のトリガ待ちの状態となる。
人体検知やボタン操作などにより計測開始トリガが働き、生体情報の測定が開始する。
生体情報の測定が終了すると、個人と測定データを結びつけて記憶し、次の測定項目に移る。
全ての測定項目が終了すると、個人と各項目のデータとを出力して終了する。
【００１８】
このように、１つのトイレブース内に設置された複数の生体情報測定手段を、個人認識手段による個人認証をトリガとして測定準備を行なうので、被験者の手を煩わすことなく簡易な作業で測定手段の準備動作を行なうことができる。
なお、この実施形態では、１つの大便器本体１に複数の生体情報測定手段を設けたが、これに拘泥されず、トイレ内に複数の生体情報測定手段が別個設置されていても無論よい。
【図面の簡単な説明】
【００１９】
【図１】本発明の実施に係る生体情報測定システムの構成図である。
【図２】本発明の実施に係る測定手段の１つである採尿器の構成図である。
【図３】本発明の実施に係る測定手段の１つである手首式血圧計の構成図である。
【図４】本発明の実施に係る個人認識手段の構成図である。
【図５】本発明の実施に係る生体情報測定システムの動作フローチャート図である。
【符号の説明】
【００２０】
１…便器本体
２…採尿器（測定手段）
３…手首式血圧計（測定手段）
４…水圧センサ（測定手段）
５…制御手段
６…演算手段
７…測定項目選定手段
８…計測開始手段
９…個人認識手段
１０…出力手段
１１…操作手段
１２…測定位置制御手段（測定準備手段）
１３…センサ初期化手段（測定準備手段）
１４…導圧管
１５…測定位置制御手段（測定準備手段）
１６…便ふた（測定準備提示手段）
１７…人体検知手段
１８…初期水位
１９…測定水位
２０…ボール
２１…ポンプ
２２…尿糖センサ
３０…アーム
３１…採尿器
３２…採尿器男性測定位置
３３…採尿器女性測定位置
４０…手首固定具
４１…マジックテープ［登録商標］
４２…手首固定検出手段
４３…センサ制御部
５０…ＩＤ発信手段
５１…ＩＤ番号記憶手段
５２…無線送信手段
５３…無線受信手段
５４…名前解決手段
５５…ＩＤ−個人結合記憶手段
５６…出力データ構成手段
【図２】
2005168720.tif 000003
【図４】
2005168720.tif 000004
【図５】
2005168720.tif 000005
【図１】
2005168720.tif 000006
【図３】
2005168720.tif 000007